(57)【要約】【課題】  情報処理装置と印刷装置からなる印刷システムにおいて、情報処理装置・印刷装置が同時に双方向通信できる数は限定されている。限定数を超えて通信しようとするには、サーバを立てることが一般的である。サーバを立てずに、限定数を超えて双方向通信することを目的とする。【解決手段】  情報処理装置に、他の情報処理装置に情報取得サーバ依頼をする手段を設け、他の情報処理装置から情報取得サーバ依頼を受けた場合は、該当する印刷装置の情報を取得中の場合は、依頼を受ける手段を設ける。【選択図】        図１
2006252129.tif 000002
【特許請求の範囲】
【請求項１】
印刷装置と複数の情報処理装置からなる印刷システムであって、情報処理装置が印刷装置のステータスを取得し、保持する印刷システムにおいて、
前記情報処理装置は、前記印刷装置に情報配信要求をする手段を有し、
前記情報処理装置は他の情報処理装置に情報取得サーバ依頼をする手段を有し、
前記情報取得サーバ依頼を受け取った場合、情報取得サーバになり、前記情報取得サーバ依頼を発行した情報処理装置に印刷装置から取得した情報を伝達する手段を有することを特徴とする印刷システム。
【請求項２】
前記印刷装置は、
情報を配信している情報処理装置のリストを保持する手段を有し、
同時に配信可能な情報処理装置数を超えて、情報処理装置から情報配信要求が来たとき、前記保持しているリスト情報の一部または全部を前記情報配信要求に対する応答の一部として返す手段を有することを特徴とする請求項１に記載の印刷システム。
【請求項３】
前記情報処理装置は、
同時に情報取得可能な印刷装置の上限値を保持し、情報取得したい印刷装置の数が、前記上限値に達した、あるいは、達しそうな場合、他の情報処理装置に情報取得サーバ依頼をする手段を有することを特徴とする請求項１に記載の印刷システム。
【請求項４】
前記情報処理装置は、ブロードキャストにより他の情報処理装置を特定せずに、情報取得サーバ依頼を行う手段を有することを特徴とする請求項１に記載の印刷システム。
【請求項５】
印刷装置と複数の情報処理装置からなる印刷システムであって、情報処理装置が印刷装置の情報を取得する印刷システムの制御方法であって、
前記情報処理装置は、前記印刷装置に情報配信要求をするステップを有し、
前記情報処理装置は他の情報処理装置に情報取得サーバ依頼をするステップを有し、
前記情報取得サーバ依頼を受け取った場合、情報取得サーバになり、前記情報取得サーバ依頼を発行した情報処理装置に印刷装置から取得した情報を伝達するステップを有することを特徴とする印刷システム制御方法。
【請求項６】
前記印刷装置の制御方法は、
情報を配信している情報処理装置のリストを保持するステップを有し、
同時に配信可能な情報処理装置数を超えて、情報処理装置から情報配信要求が来たとき、前記保持しているリスト情報の一部または全部を前記情報配信要求に対する応答の一部として返すステップを有することを特徴とする請求項５に記載の印刷システム制御方法。
【請求項７】
前記情報処理装置の制御方法は、
同時に情報取得可能な印刷装置の上限値を保持し、情報取得したい印刷装置の数が、前記上限値に達した、あるいは、達しそうな場合、他の情報処理装置に情報取得サーバ依頼をするステップを有することを特徴とする請求項５に記載の印刷システム制御方法。
【請求項８】
前記情報処理装置の制御方法は、ブロードキャストにより他の情報処理装置を特定せずに、情報取得サーバ依頼を行うステップを有することを特徴とする請求項５に記載の印刷システム制御方法。
【請求項９】
情報処理装置と印刷装置からなる印刷システムにより実行される印刷制御プログラムを、格納した記憶媒体であって、
前記情報処理装置は、前記印刷装置に情報配信要求をするステップを有し、
前記情報処理装置は他の情報処理装置に情報取得サーバ依頼をするステップを有し、
前記情報取得サーバ依頼を受け取った場合、情報取得サーバになり、前記情報取得サーバ依頼を発行した情報処理装置に印刷装置から取得した情報を伝達するステップを、
有することを特徴とする印刷システムの制御プログラムを格納したことを特徴とする記憶媒体。
【発明の詳細な説明】
【技術分野】
【０００１】
印刷システム、印刷システム制御方法ならびに記憶媒体に関する。
【背景技術】
【０００２】
印刷を指示する情報処理装置と、印刷を実行する印刷処理装置からなる印刷システムにおいて、情報処理装置が印刷実行前または、印刷実行中に印刷装置の各種情報（例えば、ステータスや構成情報）を監視することは一般的である。その方法として、情報処理装置が直接印刷装置と通信して情報を取得する方法、別の情報処理装置を介して印刷装置の情報を取る方法が実現されている（例えば、特許文献１参照）。
【特許文献１】特開２０００−３５７１４７号公報
【発明の開示】
【発明が解決しようとする課題】
【０００３】
印刷装置の情報取得専門の情報処理装置を設けることは、小規模な印刷システムではコストが増える。情報処理装置が直接印刷装置から情報を取得すると、印刷装置が同時に通信できる情報処理装置数が上限値を超えてしまうと、超えた情報処理装置は情報を取得できない。また、情報処理装置が同時に通信できる印刷装置の上限を超えてしまうと、超えた印刷装置の情報を取得ができない。
【０００４】
本発明の目的は、情報取得専門の情報処理装置を用意することなく、すべての情報処理装置が、すべての印刷装置から情報の取得が可能となること、および、ネットワークトラフィックを減らすことを実現する印刷システム、印刷システム制御方法ならびに記憶媒体を提供することを目的とする。
【課題を解決するための手段】
【０００５】
この発明は下記の構成を備えることにより上記課題を解決できるものである。
【０００６】
（１）印刷装置と複数の情報処理装置からなる印刷システムであって、情報処理装置が印刷装置のステータスを取得し、保持する印刷システムにおいて、前記情報処理装置は、前記印刷装置に情報配信要求をする手段を有し、前記情報処理装置は他の情報処理装置に情報取得サーバ依頼をする手段を有し、前記情報取得サーバ依頼を受け取った場合、情報取得サーバになり、前記情報取得サーバ依頼を発行した情報処理装置に印刷装置から取得した情報を伝達する手段を有することを特徴とする印刷システム。
【０００７】
（２）印刷装置と複数の情報処理装置からなる印刷システムであって、情報処理装置が印刷装置の情報を取得する印刷システムの制御方法であって、前記情報処理装置は、前記印刷装置に情報配信要求をするステップを有し、前記情報処理装置は他の情報処理装置に情報取得サーバ依頼をするステップを有し、前記情報取得サーバ依頼を受け取った場合、情報取得サーバになり、前記情報取得サーバ依頼を発行した情報処理装置に印刷装置から取得した情報を伝達するステップを有することを特徴とする印刷システム制御方法。
【０００８】
（３）情報処理装置と印刷装置からなる印刷システムにより実行される印刷制御プログラムを、格納した記憶媒体であって、前記情報処理装置は、前記印刷装置に情報配信要求をするステップを有し、前記情報処理装置は他の情報処理装置に情報取得サーバ依頼をするステップを有し、前記情報取得サーバ依頼を受け取った場合、情報取得サーバになり、前記情報取得サーバ依頼を発行した情報処理装置に印刷装置から取得した情報を伝達するステップを有することを特徴とする印刷システムの制御プログラムを格納したことを特徴とする記憶媒体。
【発明の効果】
【０００９】
本発明によれば、情報取得専門の情報処理装置を用意することなく、すべての情報処理装置が、すべての印刷装置から情報の取得が可能となる。また、ネットワークトラフィックを減らすことが可能となる。
【発明を実施するための最良の形態】
【００１０】
以下、図面を参照しながら本発明の実施の形態に係る印刷システムについて説明する。
【実施例】
【００１１】
図１は、本発明の実施の形態にかかる印刷システムの構成を示すブロック図である。
【００１２】
情報処理装置であり、イーサネット（登録商標）などのネットワークケーブルによって、ネットワーク１０６に接続されており、アプリケーションプログラム等の各種のプログラムを実行可能であり、印刷データをプリンタに対応するプリンタ言語に変換する機能を有するプリンタドライバを搭載している。また、ネットワーク１０６に接続されている他の機器と双方向に通信可能な通信装置を備えている。
【００１３】
プリンタドライバは複数のプリンタドライバをサポートするものである。また、プリンタ（入出力装置）は、電子写真方式を採用したレーザービームプリンタ、インクジェット方式を採用したインクジェットプリンタ、熱転写方式を利用したプリンタ等の様々な方式のもののうち何れであってもよい。
【００１４】
１０１はホストコンピュータであるサーバ（以下、プリントサーバと呼ぶ）としての情報処理装置である。プリントサーバ１０１はネットワークケーブルによってネットワーク１０６に接続されており、ネットワーク１０６で使用されるファイルを蓄積したり、ネットワーク１０６の使用状態を監視したりする。また、プリントサーバ１０１は、ネットワーク１０６に接続されている他の機器と双方向に通信可能な通信装置を備えており、複数のプリンタの管理も行っている。
【００１５】
クライアント１０２〜１０４及びプリントサーバ１０１は一般的な情報処理装置である。プリントサーバ１０１は、クライアント１０２〜１０４としての機能を併せて持つこともできる。クライアント及びプリントサーバには、それぞれ異なる制御を行う印刷制御プログラムが実行可能に格納されている。
【００１６】
プリントサーバ１０１は、さらにクライアント１０２、１０３、１０４から印刷要求が出された印字データを含む印刷ジョブを格納して印刷したり、または、クライアント１０２、１０３、１０４から印字データを含まないジョブ情報のみを受け取ってクライアント１０２、１０３、１０４の印刷順序を管理し、印刷の順番が来たクライアントに対して印字データを含む印刷ジョブの送信許可を通知したり、ネットワークプリンタ１０５のステータスや印刷ジョブの各種情報を取得してクライアント１０２、１０３、１０４に通知したりする機能を揃えている。
【００１７】
１０５は印刷制御装置であるネットワークプリンタであり、図示省略したネットワークインタフェースを介してネットワーク１０６に接続されており、クライアント１０２、１０３、１０４から送信される印字データを含む印刷ジョブを解析して１ページずつドットイメージに変換して、１ページ毎に印刷する。ネットワーク１０６にはクライント１０２、１０３、１０４、サーバ１０１、ネットワークプリンタ１０５等が接続されている。
【００１８】
図２において、２００はクライアント１０２、１０３、１０４の制御手段であるＣＰＵであり、ハードディスク（ＨＤ）２０５に格納されているアプリケーションプログラム、プリンタドライバプログラム、ＯＳや本発明のネットワークプリンタ制御プログラム等を実行し、ＲＡＭ２０２にプログラムの実行に必要な情報、ファイル等を一時的に格納する制御を行う。
【００１９】
２０１は記憶手段であるＲＯＭであり、内部には基本Ｉ／Ｏプログラム等のプログラム、文書処理の際に使用するフォントデータ、テンプレート用データ等の各種データが記憶される。２０２は一時記憶手段であるＲＡＭであり、ＣＰＵ２００の主メモリ、ワークエリア等として機能する。
【００２０】
２０３は記憶媒体読み込み手段としてのフロッピー（登録商標）ディスク（ＦＤ）ドライブである。後述する図５に示すように、このＦＤドライブ２０３を介して、記憶媒体としてのフロッピー（登録商標）ディスク（ＦＤ）２０４に記憶されたプログラム等をクライアントである本コンピュータシステムにロードすることができる。なお、記憶媒体はＦＤに限らず、ＣＤ−ＲＯＭ、ＣＤ−Ｒ、ＣＤ−ＲＷ、ＰＣカード、ＤＶＤ、ＩＣメモリカード、ＭＯ、メモリスティック等、任意である。
【００２１】
ＦＤ２０４には、コンピュータによって読み取り可能なプログラムが格納されている。
【００２２】
２０５は外部記憶手段の一つであり、大容量メモリとして機能するハードディスク（ＨＤ）であり、アプリケーションプログラム、プリンタドライバプログラム、ＯＳ、ネットワークプリンタ制御プログラム、関連プログラム等が格納されている。さらにスプーラがここに確保される。スプーラは、クライアントにおいてはクライアントスプーラであり、プリントサーバではサーバスプーラである。また、プリントサーバでは、クライアントから受けたジョブ情報を格納し、順序制御を行うためのテーブルもこの外部記憶手段に生成されて格納される。
【００２３】
２０６はキーボード（指示入力手段）であり、ユーザがクライアントに対して、また、オペレータや管理者がプリントサーバに対して、デバイスの制御コマンドの命令等を入力するものである。
【００２４】
２０７はディスプレイ（表示手段）であり、キーボード２０６から入力されたコマンドや、プリンタの状態等を表示するものである。
【００２５】
２０８はシステムバスであり、クライアントであるコンピュータ内のデータの流れを司るものである。
【００２６】
２０９はインターフェース（入出力手段）であり、該インタフェース２０９を介してクライアントは外部装置とのデータのやり取りを行う。
【００２７】
本実施の形態では、ＦＤ２０４からネットワークプリンタ制御プログラム及び関連データを直接にＲＡＭ２０２にロードして実行する例を示すが、これ以外にも、ＦＤ２０４からネットワークプリンタ制御プログラムを動作させる度に、既にＨＤ２０５にインストールされているネットワークプリンタ制御プログラムをＲＡＭ２０２にロードするようにしてもよい。
【００２８】
なお、ネットワークプリンタ制御プログラムを記憶する媒体は、ＦＤ以外にＣＤ−ＲＯＭ、ＣＤ−Ｒ、ＰＣカード、ＤＶＤ、ＩＣメモリカードであってもよい。さらに、ネットワークプリンタ制御プログラムをＲＯＭ２０１に記憶しておき、これをメモリマップの一部となすように構成し、直接にＣＰＵ２００で実行することも可能である。
【００２９】
次に印刷装置の詳細構成を説明する。印刷装置２は、詳細を後述する接続部２２６、データ制御部（プリンタエンジン）２２５、操作部２２４、外部メモリ２２３、ＰＣＰＵ２２０、ＰＲＡＭ２２２、及びＰＲＯＭ２２１を主要な構成要素とし、これらの構成要素がシステムバス２２７を介して互いに接続されている。
【００３０】
プリンタＣＰＵ（ＰＣＰＵ）２２０は、印刷装置２の全体制御を司るものである。ＰＣＰＵ２２０は、後述するＰＲＯＭ２２１或いは外部メモリ２２３に記憶された制御プログラムに基づいて、接続部２２６で受信したプリンタ制御コマンド（送信データ）より、画像信号をデータ制御部２２５に送信する。
【００３１】
ＰＲＡＭ２２２は、ＰＣＰＵ２２０の主メモリとして、ＰＣＰＵ２２０による制御実行時、ワークデータエリアとして使用される各種データの一時記憶領域を備えている。外部メモリ２２３は、オプションとしても接続され、フォントデータ、エミュレーションプログラム、フォームデータ等を記憶する。ＰＲＯＭ２２１はプリンタ内部メモリであり、外部メモリと同様に、各種データや本印刷装置を制御するプリンタ制御プログラム等を記憶している。
【００３２】
データ制御部２２５はプリンタエンジンであり、ＰＣＰＵ２２０により制御され、ＰＲＯＭ２２１、或いは外部メモリ２２３に記憶された制御プログラムよりシステムバス２２７を介して出力された画像信号を受け、実際の印刷処理を行う。操作部２２４は、操作パネルや操作スイッチ等の入力部、及びＬＥＤ、液晶パネル等の表示部等から構成され、オペレータの操作を受けたり結果を表示するものである。オペレータは操作部２２４を介して本実施の形態例印刷装置２の設定を指示したり確認することが可能である。
【００３３】
２２６は接続部であり、前述の双方向インターフェース２０９を介して情報処理装置１の接続部２１０に接続し、印刷制御コマンド（送信データ）を受信したり、印刷装置内部の状態等を通知する事も可能である。
【００３４】
また、以上の各装置と同等の機能を実現するソフトウェアをもって、ハードウェア装置の代替として構成することもできる。
【００３５】
以下に実施例１、２について説明する。なお、説明の簡便のため、情報処理装置が印刷装置から取得する各種情報は、状態を表すステータスとする。また、取得したステータスは情報処理装置のＣＲＴ等の表示装置に表示しているものとする。
【００３６】
図３、４、５を用いて、実施例１について説明する。
【００３７】
印刷装置からステータスを取得しようとする情報処理装置は、所定の手続きに基づき、ＣＰＵ２００を用い、印刷装置が解釈可能な制御コマンド（通信経路確立コマンド）を作成し、システムバス２０８、接続部２１０、双方向インターフェース２０９を介し、目的の印刷装置に送付する（ステップ３０１）。
【００３８】
次に、印刷装置からの応答を判断する（ステップ３０２）。
【００３９】
ステップ３０２で失敗したと判断した場合は、ＣＰＵ２００を用い、印刷装置からの応答コマンドを解析し、印刷装置が通信経路確立済みのホスト情報（例えば、ＩＰアドレス、ホスト名など）を得る。つぎに、ＣＰＵ２００を用いて、所定の手続きに基づき情報処理装置が解釈可能な制御コマンド（サーバ依頼コマンド）を作成し、印刷装置から得た通信経路確立済みの情報処理装置に送付する（ステップ３０３）。
【００４０】
ステップ３０２で成功と判断した場合は、ステップ３０４に進む。
【００４１】
次に、ネットワークからインターフェース２０９を介し、後述のステータス取得手段によりプリンタから、あるいは、サーバ依頼した他の情報処理装置からステータス情報を受け取る（ステップ３０４）。
【００４２】
次に、ＣＰＵ２００を用いて、現在表示部２０７に表示中である、あるいはＲＡＭ２０２等で保持しているモニタリング中のステータス情報が変化したか判断する（ステップ３０５）。
【００４３】
ステップ３０５で変化していると判断した場合は、ステータス情報を更新する（ステップ３０６）。
【００４４】
つぎに、図４を用いて印刷装置の通信経路確立動作について説明する。なお、ここで説明する印刷装置の動作は、通常の印刷動作やステータス情報の送付動作とは、並行して独立に行われる。
【００４５】
最初に、ＰＣＰＵ２２０を用いて、双方向インターフェース２０９、接続部２２６を介してネットワークから受け取った情報が、通信経路確立要求コマンドか判断する（ステップ４０１）。通信経路確立要求コマンドとは、例えば印刷装置に特定状況が発生した場合、自発的に情報処理装置に情報通知をするとし、きっかけとなる特定状況の種類、数および、通知先の情報処理装置を特定する情報（アドレスやＰＣ名など）の登録要求などである。
【００４６】
ステップ４０１で通信経路確立要求コマンドだと判定した場合は、印刷装置がＰＲＡＭ２２２等の記憶領域に保持している通信経路の同時確立数の上限値に達しているか判断する（ステップ４０２）。例えば、ＰＲＡＭ２２２等の記憶領域に確保した上限値格納領域に上限値として５が保持されていて、現在の通信経路確立数が５である場合は、上限値に達したと判断する。
【００４７】
ステップ４０２で、上限値に達していないと判断した場合は、要求元の情報処理装置と通信経路を確立する。例えば、ＰＲＡＭ２２２等の記憶領域に、特定状況の種類および、通知先のホストアドレスを記憶し、特定状況が発生した場合は通知先アドレスに所定の手続きに基づき情報を通知する。
【００４８】
次に、通信経路を確立したホスト情報（例えば、ホスト名、アドレスなど）を、ＰＲＡＭ２２２等の記憶領域に確保した通信経路情報格納領域に保持する（ステップ４０４）。
【００４９】
ステップ４０２で、上限値に達したと判断した場合は、ＰＣＰＵ２２０を用いて、ＰＲＡＭ２２２等の記憶領域に確保した通信経路情報格納領域を検索して、登録済みホスト情報を取得し、通信経路確立要求コマンドへの失敗応答の付属情報として一緒に送付する。
【００５０】
次に、ステップ３０４のステータス取得処理を図５を用いて詳細に説明する。
【００５１】
ＣＰＵ２００を用い、双方向インターフェース２０９を通り接続部２１０を介し、ネットワークから取得した情報を解析し、他情報処理装置からのサーバ依頼コマンドか判断する（ステップ５０１）。
【００５２】
ステップ５０１でサーバ依頼コマンドと判断した場合は、コマンド付属の情報（例えば、ＰＣ名、ＩＰアドレス）をＲＡＭ２０２等の記憶領域に確保したクライアントリスト保存領域に保存する（ステップ５０２）。
【００５３】
ステップ５０１でサーバ依頼コマンドでないと判断した場合、ＣＰＵ２００を用いてネットワークから取得した情報が、プリンタからのステータス情報か解析する（ステップ５０３）。
【００５４】
ステップ５０３でステータス情報ではないと判断した場合は、ステップ５０１以降を繰り返す。
【００５５】
ステップ５０３でステータス情報と判断した場合、ＣＰＵ２００を用い、ステータス情報をＲＡＭ２０２等の記憶領域に確保した、ステータス情報格納領域に適宜保存するし、ＲＡＭ２０２等の記憶領域に確保したクライアントリスト保存領域を検索して、プリンタステータスを伝達するクライアントが登録済みであるか判断する（ステップ５０４）。
【００５６】
ステップ５０４でクライアントが登録済みであると判断した場合、ＣＰＵ２００を用いて、所定の手続きの基づき、プリンタステータス伝達コマンドを作成し、接続部２１０を通り、双方向インターフェース２０９を介して、登録済みの情報処理装置に送付する。
【００５７】
次に、本発明の実施２の形態を説明する。
【００５８】
図６を用い、情報処理装置側の基本動作を説明する。
【００５９】
印刷装置からステータスを取得しようとする情報処理装置は、ＣＰＵ２００を用いて、予めＲＡＭ２０２等の記憶領域に確保された印刷装置監視数が、予め決められた上限値を超えているか判断する（ステップ６０１）。
【００６０】
ステップ６０１で上限値を越えていると判断した場合、ＣＰＵ２００を用いて情報処理装置が解釈可能なコマンド（サーバ依頼コマンド）を作成し、ブロードキャスト、すなわち宛先を特定せずに、接続部２１０を通り、双方向インターフェース２０９を介し、送付する（ステップ６０２）。
【００６１】
次に、双方向インターフェース２０９を介し、接続部２１０を通って返される応答コマンドをＣＰＵ２００を用いて解析し、前述のサーバ依頼コマンドが成功したか判断する。（ステップ６０３）例えば、他の情報処理装置からサーバ受け付けたことを通知された場合、成功と判断する。
【００６２】
ステップ６０３で、サーバ依頼コマンドが成功したと判断した場合、ステップ６０５へ進む。
【００６３】
ステップ６０３でサーバ依頼コマンドが成功したと判断した場合、および、ステップ６０１で上限値に達していないと判断した場合は、所定の手続きに基づき、ＣＰＵ２００を用い、印刷装置が解釈可能な制御コマンド（通信経路確立コマンド）を作成し、システムバス２０８、接続部２１０、双方向インターフェース２０９を介し、目的の印刷装置に送付する（ステップ６０４）。
【００６４】
次に、ネットワークからインターフェース２０９を介し、後述のステータス取得手段によりプリンタから、あるいは、サーバ依頼した他の情報処理装置からステータス情報を受け取る（ステップ６０５）。
【００６５】
次に、ＣＰＵ２００を用いて、現在表示部２０７に表示中である、あるいはＲＡＭ２０２等で保持しているモニタリング中のステータス情報が変化したか判断する（ステップ６０６）。
【００６６】
ステップ３０５で変化していると判断した場合は、ステータス情報を更新する（ステップ６０７）。
【００６７】
ステップ６０５のステータス取得手段は、実施例１の図５を用いた説明と同じであるので省略する。
【００６８】
以上説明したように、実施例１においては、印刷装置が同時にステータス情報を送信可能な情報処理装置の数より、印刷装置のステータス情報を取得したい情報処理装置が多いときであっても、ステータス情報取得の専門サーバを設けることなく、すべての情報処理装置はステータス取得が可能になる。
【００６９】
また、実施例２においては、情報処理装置側がステータスを取得したい印刷装置が、情報処理装置が同時にステータスを取得可能な印刷装置数より多い場合でも、すべての情報処理装置が印刷装置からステータスを取得可能になる。上限値を、実際の限界値より小さく設定することにより、実施例１では印刷装置の、実施例２では情報処理装置の負荷を軽減できるという効果もある。
【図面の簡単な説明】
【００７０】
【図１】本発明の実施の形態にかかる印刷システムの構成を示すブロック図である。
【図２】図１におけるクライアントの構成を示すブロック図である。
【図３】本発明の実施例１における、情報処理装置側の基本フローチャートである。
【図４】本発明の実施例１における、プリンタ側の基本フローチャートである。
【図５】本発明の実施例１および２における、情報処理装置側ステータス取得処理のフローチャートである。
【図６】本発明の実施例２における、情報処理装置側の基本フローチャートである。
【符号の説明】
【００７１】
１０１  サーバ
１０２，１０３，１０４  クライアント
１０５  プリンタ
１０６  ネットワーク
２００  ＣＰＵ
２０９  インターフェース
【図１】
2006252129.tif 000003
【図２】
2006252129.tif 000004
【図３】
2006252129.tif 000005
【図４】
2006252129.tif 000006
【図５】
2006252129.tif 000007
【図６】
2006252129.tif 000008